(57)【要約】【課題】看護者又は介護者だけでなくマットレス上に横たわる利用者が暗中又は利用者が視覚的に不自由な環境下においても自分の寝位置を正確に認識及び調整することができるベッド及びマットレスを提供する。【解決手段】ベッドフレーム１０と、このベッドフレームに支持されたボトム１１と、このボトム２２上に載置されたマットレス２と、を有するベッド１において、ベッド利用者が前記マットレス２上に横たわるべき寝位置をベッド利用者が触覚により認識する標識３が、前記マットレス２の長手方向に沿う側面に設けられている。【選択図】図１
2010029627.tif 000002
【特許請求の範囲】
【請求項１】
ベッドフレームと、このベッドフレームに支持されたボトムと、このボトム上に載置されたマットレスと、を有するベッドにおいて、ベッド利用者が前記マットレス上に横たわるべき寝位置をベッド利用者が触覚により認識する標識が、前記マットレスの長手方向に沿う側面に設けられていることを特徴とするベッド。
【請求項２】
前記標識は、前記マットレスに埋め込まれ前記マットレスとは硬度が異なるものであるか、前記マットレスの側面に設けられた切欠であるか、前記マットレスの側面に前記マットレスと一体的に設けられた１又は複数個の突起であるか、又は前記マットレスの側面に前記マットレスと一体的に設けられた凹凸であることを特徴とする請求項１に記載のベッド。
【請求項３】
前記マットレスは、マットレス本体と、このマットレス本体を覆う被覆材とを有し、前記標識は、前記被覆材に設けられていることを特徴とする請求項１に記載のベッド。
【請求項４】
前記標識は、前記被覆材に取り付けられ触感が前記被覆材とは異なる部材であるか、前記被覆材に設けられた切欠であるか、前記被覆材の一部を加熱又は圧縮させて膨出加工した突起であるか、又は前記被覆材の一部を薬品により変質させて形成した凹凸であることを特徴とする請求項３に記載のベッド。
【請求項５】
前記ボトムは、前記ベッドフレームに揺動可能に支持された背ボトムと、前記ベッドフレームに固定された腰ボトムと、前記ベッドフレームに揺動可能に支持された脚ボトムとから構成され、背ボトム、腰ボトム及び脚ボトムがベッドフレームの長手方向にこの順に配置されており、前記標識は、前記腰ボトムに対する前記ベッド利用者の寝位置を決めるものであることを特徴とする請求項１乃至４のいずれか１項に記載のベッド。
【請求項６】
前記マットレス内に、マッサージ機能をもつ部材、寝床内温度調節機能をもつ部材、褥瘡予防機能をもつ部材、又は電気パルス若しくは振動による電気治療機能をもつ部材が埋め込まれており、前記標識は、前記マッサージ部材、温度調節部材、褥瘡予防部材、又は電気治療部材に対する前記ベッド利用者の寝位置を決めるものであることを特徴とする請求項１乃至４のいずれか１項に記載のベッド。
【請求項７】
前記マットレスは、背上げ駆動されるものであるか、又は弾性力が部分的に異なるものであり、前記標識は、前記背上げの屈曲点に対するベッド利用者の寝位置を決めるものであるか、又は前記弾性力が異なる部分に対するベッド利用者の寝位置を決めるものであることを特徴とする請求項１乃至４のいずれか１項に記載のベッド。
【請求項８】
前記標識は、前記ベッド利用者の寝位置が決まったときに前記ベッド利用者が腕を伸ばしてその手が触れる位置に設けられていることを特徴とする請求項１乃至７のいずれか１項に記載のベッド。
【請求項９】
利用者が横たわるマットレス本体と、前記マットレス本体の長手方向に沿う側面に設けられ前記利用者が前記マットレス本体上に横たわるべき寝位置を触覚により認識する標識と、を有することを特徴とするマットレス。
【請求項１０】
前記標識は、前記マットレス本体に埋め込まれ前記マットレス本体とは硬度が異なるものであるか、前記マットレス本体の側面に設けられた切欠であるか、前記マットレス本体の側面に前記マットレス本体と一体的に設けられた１又は複数個の突起であるか、又は前記マットレス本体の側面に前記マットレス本体と一体的に設けられた凹凸であることを特徴とする請求項９に記載のマットレス。
【請求項１１】
前記マットレス本体を覆う被覆材を有し、前記標識は、前記被覆材に設けられていることを特徴とする請求項９に記載のベッド。
【請求項１２】
前記標識は、前記被覆材に取り付けられ触感が前記被覆材とは異なる部材であるか、前記被覆材に設けられた切欠であるか、前記被覆材の一部を加熱又は圧縮させて膨出加工した突起であるか、又は前記被覆材の一部を薬品により変質させて形成した凹凸であることを特徴とする請求項１１に記載のベッド。
【請求項１３】
前記マットレス本体は、背部、腰部及び脚部がこの順に前記マットレス本体の長手方向に連なるものであると共に、前記背部は前記腰部に対して揺動可能であり、前記脚部は前記腰部に対して揺動可能であり、前記標識は、前記腰部に対する前記利用者の寝位置を決めるものであることを特徴とする請求項９乃至１２のいずれか１項に記載のマットレス。
【請求項１４】
前記マットレス本体内に、マッサージ機能をもつ部材、寝床内温度調節機能をもつ部材、褥瘡予防機能をもつ部材、又は電気パルス若しくは振動による電気治療機能をもつ部材が埋め込まれており、前記標識は、前記マッサージ部材、温度調節部材、褥瘡予防部材、又は電気治療部材に対する前記利用者の寝位置を決めるものであることを特徴とする請求項９乃至１２のいずれか１項に記載のマットレス。
【請求項１５】
前記マットレス本体は、背上げ駆動されるものであるか、又は弾性力が部分的に異なるものであり、前記標識は、前記背上げの屈曲点に対するベッド利用者の寝位置を決めるものであるか、又は前記弾性力が異なる部分に対するベッド利用者の寝位置を決めるものであることを特徴とする請求項９乃至１２のいずれか１項に記載のマットレス。
【請求項１６】
前記標識は、前記利用者の寝位置が決まったときに前記利用者が腕を伸ばしてその手が触れる位置に設けられていることを特徴とする請求項９乃至１５のいずれか１項に記載のマットレス。
【発明の詳細な説明】
【技術分野】
【０００１】
本発明は、ベッド及びマットレスに関し、特に利用者が横たわるべき寝位置を利用者が認識することができるベッド及びマットレスに関する。
【背景技術】
【０００２】
従来、医療用並びに介護用等のベッド及びマットレスには、利用者の上半身をベッド上で起こすために背ボトム及び膝ボトムを電動で上げ下げする機能を有するもの（特許文献１及び２）、継続的にベッド又はマットレスの上に横たわる利用者の皮膚又は身体内部組織に対する圧迫及び摩擦を軽減させるために褥瘡予防帯をマットレスに着脱可能としたもの（特許文献３）等が用いられている。
【０００３】
また、医療及び介護分野以外においても、サイドフレーム等に空調機能を設けたベッド（特許文献４）、内部に加振器若しくは摺動ローラを設けて横たわる利用者に対するマッサージ効果を与える機能を備えたベッド及びマットレス（特許文献５）が用いられている。
【０００４】
上述の特許文献１乃至５に記載された背上げ及び膝上げ機能を有するベッド並びにマットレス、褥瘡予防帯を着脱可能としたマットレス、空調機能を有するベッド、又はマッサージ機能を有するベッド等、ベッド又はマットレス上に横たわる利用者の動作を支援する又は利用者に対して動作若しくは作用する機能においては、横たわる利用者のベッド又はマットレスに対する相対的な位置が定まらないと十分に機能を発揮できないものがある。特に、特許文献１並びに２に開示されているベッド及びマットレスにおける背上げ機能については、利用者の腰の位置を支点として背ボトムが腰ボトムに対して回動するため、ベッド又はマットレス上に横たわる利用者の位置がベッド又はマットレスに対して相対的にずれると、例えば寝たきりの患者においては筋肉と皮膚との間にずれが生じ、筋肉から皮膚に向かう細い血管が引き延ばされて血管の閉塞又は血行障害を起こしやすくなり、皮膚に障害が発生してしまう虞がある。また、ベッド又はマットレスに対して位置がずれた寝たきりの患者の身体を、介護者が元の位置に戻すことは、患者が自力で動くことができないため、介護者にとって極めて大きな負担となる。また、寝たきりではない利用者においても、背中又は大腿部に寝台の屈曲による不快な反力が付加されたり、ベッド上で転倒又はベッドから転落する危険が発生する虞がある。
【０００５】
ベッド利用者のベッドに対する相対的な寝位置を正確に確認及び調整することができるように、例えば特許文献６（請求項４９（手続補正書  請求項４７））には、頭部、座部、及び足部からなるベッドフレームの頭部が座部との連結部分において回転することによって背上げ機能を有するチェアーベッドにおいて、頭部、座部、大腿部及び足部から構成された関節床（ボトム）に腰部回動案内体が設けられたチェアーベッドが開示されている。この特許文献６に開示されたチェアーベッドによれば、腰部回動案内体が設けられることによって、関節床上に載置されるマットレス上に横たわる利用者の腰部を看護者が正確に位置付けすることが可能であることが開示されている。
【０００６】
また、特許文献７には床部中央部を支点として背ボトムを角度変化可能とした背上げ機能を有するベッドにおいて、背ボトムの側面に長さを表す目盛りを設け、この背ボトムの上に挟持器具を用いてマットレスを背ボトムと一体に挟持することによって、ベッド利用者の坐骨結節位置を角度変化の支点に位置させたときの、マットレス上のベッド利用者の頭部及び肩部位置を介護者が目盛りによって確認することができるようにしたベッドが開示されている。
【０００７】
更に、特許文献８には、固定腰部板とこの腰部板に対して傾斜自在に設けられた背板、大腿板、及び下腿板とを有するベッドにおいて、ベッドフレームの側面部に固定腰部板の位置を視認可能に明示する目印が設けられたベッドが開示されている。
【０００８】
【特許文献１】特開２０００−１４００３９号公報
【特許文献２】特開２００４−５７６０１号公報
【特許文献３】特開２００３−３１０６６９号公報
【特許文献４】特開２００６−４３３３３号公報
【特許文献５】特開２００５−３４８９８２号公報
【特許文献６】特表平１１−５００６４７号公報
【特許文献７】特開２００７−１８５２２９号公報
【特許文献８】登録実用新案３１２６２２９号公報
【発明の開示】
【発明が解決しようとする課題】
【０００９】
しかしながら、前述の従来技術には以下のような問題点がある。
【００１０】
特許文献６に記載のチェアーベッドに設けられた腰部回動案内体、及び特許文献７に記載のベッドにおいてベッドフレーム側面に設けられた目盛りは、ベッド上に横たわるベッド利用者の腰部、頭部、又は肩部位置を看護者若しくは介護者が視認可能とするために設けられており、ベッド利用者が自分の寝位置を認識するためには、これらの標を一度覗きこんでからベッド上に横たわる必要があるため、ベッド利用者が視認した寝位置と横たわった状態における自分の寝位置との間にずれが生じやすいという問題点がある。
【００１１】
また、特許文献７に記載のベッドのフレーム側面に設けられた目盛りは、暗中又はベッド利用者が視覚的に不自由な環境下においてベッド上のベッド利用者の寝位置を視覚的に認識するために用いることができないという問題点がある。
【００１２】
更に、身体の特定部位に作用する機能を備えるマットレス又はこのようなマットレスを有するベッドにおいては、利用者の寝位置をマットレスに対して指示しないとマットレスの機能が利用者に対して効果的に作用しないため、特許文献６乃至８に記載の如くベッドフレームに設けられた標を用いた場合においても、マットレスの位置がベッドフレームに対して相対的にずれてしまうと、利用者の寝位置がマットレスに対してずれるため、マットレスの機能が十分に作用しないという問題点がある。また、特許文献６乃至８に記載されたベッド利用者の寝位置認識手段を身体の特定部位に作用する機能を備えるマットレス又はこのようなマットレスを有するベッドに適用した場合においても、マットレスにシーツを掛けてしまうと寝位置認識のための標識を視認することができなくなるという問題点がある。
【００１３】
本発明はかかる問題点に鑑みてなされたものであって、看護者又は介護者だけでなくマットレス上に横たわる利用者が暗中又は利用者が視覚的に不自由な環境下においても自分の寝位置を正確に認識及び調整することができるベッド及びマットレスを提供することを目的とする。
【課題を解決するための手段】
【００１４】
本発明に係るベッドは、ベッドフレームと、このベッドフレームに支持されたボトムと、このボトム上に載置されたマットレスと、を有するベッドにおいて、ベッド利用者が前記マットレス上に横たわるべき寝位置をベッド利用者が触覚（触感）により認識する標識が、前記マットレスの長手方向に沿う側面に設けられていることを特徴とする。
【００１５】
前記標識は、前記マットレスに埋め込まれ前記マットレスとは硬度が異なるものであるか、前記マットレスの側面に設けられた切欠であるか、前記マットレスの側面に前記マットレスと一体的に設けられた１又は複数個の突起であるか、又は前記マットレスの側面に前記マットレスと一体的に設けられた凹凸であることが好ましい。
【００１６】
また、前記マットレスは、マットレス本体と、このマットレス本体を覆う被覆材とを有し、前記標識は、前記被覆材に設けられているように構成することができる。この場合に、前記標識は、前記被覆材に取り付けられ触感が前記被覆材とは異なる部材であるか、前記被覆材に設けられた切欠であるか、前記被覆材の一部を加熱又は圧縮させて膨出加工した突起であるか、又は前記被覆材の一部を薬品により変質させて形成した凹凸であることが好ましい。
【００１７】
前記ボトムは、前記ベッドフレームに揺動可能に支持された背ボトムと、前記ベッドフレームに固定された腰ボトムと、前記ベッドフレームに揺動可能に支持された脚ボトムとから構成され、背ボトム、腰ボトム及び脚ボトムがベッドフレームの長手方向にこの順に配置されており、前記標識は、前記腰ボトムに対する前記ベッド利用者の寝位置を決めるものであるように構成することができる。
【００１８】
上述のベッドは、前記マットレス内に、マッサージ機能をもつ部材、寝床内温度調節機能をもつ部材、褥瘡予防機能をもつ部材、又は電気パルス若しくは振動による電気治療機能をもつ部材が埋め込まれており、前記標識は、前記マッサージ部材、温度調節部材、褥瘡予防部材、又は電気治療部材に対する前記ベッド利用者の寝位置を決めるものであるように構成することができる。また、前記マットレスは、背上げ駆動されるものであるか、又は弾性力が部分的に異なるものであり、前記標識は、前記背上げの屈曲点に対するベッド利用者の寝位置を決めるものであるか、又は前記弾性力が異なる部分に対するベッド利用者の寝位置を決めるものであるように構成することもできる。
【００１９】
更に、前記標識は、前記ベッド利用者の寝位置が決まったときに前記ベッド利用者が腕を伸ばしてその手が触れる位置に設けられていることが好ましい。
【００２０】
本発明に係るマットレスは、利用者が横たわるマットレス本体と、前記マットレス本体の長手方向に沿う側面に設けられ前記利用者が前記マットレス本体上に横たわるべき寝位置を触覚により認識する標識と、を有することを特徴とする。
【００２１】
前記標識は、前記マットレス本体に埋め込まれ前記マットレス本体とは硬度が異なるものであるか、前記マットレス本体の側面に設けられた切欠であるか、前記マットレス本体の側面に前記マットレス本体と一体的に設けられた１又は複数個の突起であるか、前記マットレス本体の側面に前記マットレス本体と一体的に設けられた凹凸であることが好ましい。
【００２２】
また、前記マットレスは、前記マットレス本体を覆う被覆材を有し、前記標識は、前記被覆材に設けられているように構成することができる。この場合に、前記標識は、前記被覆材に取り付けられ触感が前記被覆材とは異なる部材であるか、前記被覆材に設けられた切欠であるか、前記被覆材の一部を加熱又は圧縮させて膨出加工した突起であるか、又は前記被覆材の一部を薬品により変質させて形成した凹凸であることが好ましい。
【００２３】
前記マットレス本体は、背部、腰部及び脚部がこの順に前記マットレス本体の長手方向に連なるものであると共に、前記背部は前記腰部に対して揺動可能であり、前記脚部は前記腰部に対して揺動可能であり、前記標識は、前記腰部に対する前記利用者の寝位置を決めるものであるように構成することができる。
【００２４】
上述のマットレスは、前記マットレス本体内に、マッサージ機能をもつ部材、寝床内温度調節機能をもつ部材、褥瘡予防機能をもつ部材、又は電気パルス若しくは振動による電気治療機能をもつ部材が埋め込まれており、前記標識は、前記マッサージ部材、温度調節部材、褥瘡予防部材、又は電気治療部材に対する前記利用者の寝位置を決めるものであるように構成することができる。また、前記マットレス本体は、背上げ駆動されるものであるか、又は弾性力が部分的に異なるものであり、前記標識は、前記背上げの屈曲点に対するベッド利用者の寝位置を決めるものであるか、又は前記弾性力が異なる部分に対するベッド利用者の寝位置を決めるものであるように構成することもできる。
【００２５】
更に、記標識は、前記利用者の寝位置が決まったときに前記利用者が腕を伸ばしてその手が触れる位置に設けられていることが好ましい。
【発明の効果】
【００２６】
本発明のベッドによれば、マットレスの長手方向に沿う側面に、ベッド利用者が前記マットレス上に横たわるべき寝位置をベッド利用者が触覚により認識する標識が設けられていることによって、ベッド利用者が横たわったままで自分の寝位置を触感によって正確に認識することが可能であり、ベッドに対する自分の相対的な位置をこの標を基準として調整することができる。
【００２７】
本発明のマットレスによれば、マットレス本体の長手方向に沿う側面に、マットレス本体上に横たわるべき利用者の寝位置を利用者が触覚により認識する標識が設けられていることによって、利用者が横たわったままで自分の寝位置を触感によって正確に認識することが可能であり、マットレスに対する自分の相対的な位置をこの標を基準として調整することができる。
【００２８】
また、本発明のベッド及びマットレスは、利用者がベッド又はマットレスに対する自分の寝位置を触感によって認識することが可能であるため、暗中又は利用者が視覚的に不自由な環境下においても使用することが可能である。
【発明を実施するための最良の形態】
【００２９】
以下、本発明の実施形態について、添付の図面を参照して具体的に説明する。図１（ａ）は本発明の第１実施形態に係るベッドを示す斜視図、図２は本発明の第１実施形態に係る電動ベッドを示す斜視図、図３は本発明の第１実施形態に係る電動ベッドの背ボトム、膝ボトム及び足ボトムと、それらの間の湾曲部とを示す正面図、図４は背ボトムが水平の場合の背上げ装置を示す正面図、図５は背ボトムを上げた場合の背上げ装置を示す正面図、図６は膝ボトムが水平の場合の膝上げ装置を示す正面図、図７は膝ボトムを上げた場合の膝上げ装置を示す正面図、図８は本発明の実施形態に係るマットレスを示す斜視図及び断面図である。
【００３０】
図１（ａ）に示すように、本発明の第１実施形態のベッド１はボトム１１がベッドフレーム１０に支持されている。また、ボトム１１上の一定の位置にはマットレス２が固定されている。ボトム１１は図２に示すように背ボトム１１ａ、背湾曲部１１ｂ、腰ボトム１１ｃ、膝ボトム１１ｄ、膝湾曲部１１ｅ及び足ボトム１１ｆがこの順に連結されている。背ボトム１１ａと腰ボトム１１ｃとは、湾曲可能の背湾曲部１１ｂにより連結されており、膝ボトム１１ｄと足ボトム１１ｆとは、同様に湾曲可能の膝湾曲部１１ｅにより連結されている。腰ボトム１１ｃは固定されている。背ボトム１１ａはその頭部側先端が持ち上がるように回動すると共に、水平に戻るように逆回動し、この背湾曲部１１ｂ側を中心として揺動する。膝ボトム１１ｄはその膝湾曲部１１ｅ側先端が持ち上がるように回動すると共に、水平に戻るように逆回動し、この腰ボトム１１ｃ側を中心として揺動する。背湾曲部１１ｂ及び膝湾曲部１１ｅは、多数の棒材を相互に平行にすだれ状に配置し、各棒材間の間隔を変動可能に各棒材を相互に連結したものであり、背湾曲部１１ｂ及び膝湾曲部１１ｅの全体で棒材の連結方向に延び縮みすると共に、各棒材の連結方向に連続的に且つ滑らかに湾曲する。
【００３１】
図４及び図５に示すように、背上げ装置１２においては、ベッドの長手方向に延びる１対の平行な支持部１２ａが背ボトム１１ａの下面に固定されて、この背ボトム１１ａを支持している。また、同様にベッドの長手方向に延びる１対の平行な第１リンク１２ｂが固定支点Ｆ１を中心として回転可能に設けられている。そして、この第１リンク１２ｂの先端と、支持部１２ａの腰ボトム１１ｃ側の部分とが、移動支点Ｍ１により連結されている。また、第２リンク１２ｄが固定支点Ｆ２を中心として回転可能に設けられており、この第２リンク１２ｄの先端は、支持部１２ａにおける移動支点Ｍ１より更に腰ボトム１１ｃ側の部分に移動支点Ｍ３を介して連結されている。支持部１２ａにはその腰ボトム１１ｃ側の位置に、下方に突出する突部１２ｃが設けられており、この突部１２ｃの先端には、移動支点Ｍ２を介して第３リンク１２ｅが連結されている。この第３リンク１２ｅは背上げ用のアクチュエータ１２ｈのピストンロッド１２ｇに移動支点Ｍ４を介して連結されており、更に、腰ボトム１１ｃには第４リンク１２ｆが固定支点Ｆ３を介して回転可能に支持されていて、第４リンク１２ｆの先端は、第３リンク１２ｅとピストンロッド１２ｇとの連結点である移動支点Ｍ４に連結されている。なお、アクチュエータ１２ｈはその後端が固定支点Ｆ６に回転可能に支持されており、ピストンロッド１２ｇの進出待避方向が若干水平からずれることを許容するようになっている。
【００３２】
図６及び図７に示すように、膝上げ装置１３においては、膝ボトム１１ｄの下面に支持部１３ａが固定されており、足ボトム１１ｆの下面に支持部１３ｂが固定されている。膝ボトム１１ｄと腰ボトム１１ｃとの間は固定支点Ｆ４により相互に回転可能に連結されている。腰ボトム１１ｃは固定されているので、膝ボトム１１ｄは固定支点Ｆ５を介して揺動する。支持部１３ａは足ボトム１１ｆ側に延出し、支持部１３ｂは膝ボトム１１ｄ側に延出している。そして、支持部１３ａと支持部１３ｂとの相互に近接する部分は、膝湾曲部１１ｅの下方の移動支点Ｍ５により相互に連結されている。膝ボトム１１ｄ及び足ボトム１１ｆが水平の状態で、図６に示すように、支持部１３ａ及び支持部１３ｂは膝湾曲部１１ｅから離れ、膝ボトム１１ｄが立ち上がった状態で、図７に示すように、支持部１３ａ及び支持部１３ｂがその上縁が弧を描くように湾曲し、同様に湾曲した膝湾曲部１１ｅを下方から支持するようになっている。固定支点Ｆ５には、第５リンク１３ｃが回転可能に軸支されており、この第５リンク１３ｃの先端には、足ボトム１１ｆの先端側の部分が、移動支点Ｍ７を介して連結されている。支持部１３ａにおける支持部１３ｂの反対側の部分１３ｄは、腰ボトム１１ｃ側に延出し、この部分１３ｄの先端は、膝上げ用アクチュエータ１３ｅのピストンロッド１３ｆに移動支点Ｍ６を介して連結されている。なお、アクチュエータ１３ｅはその後端が固定支点Ｆ７に回転可能に支持されており、ピストンロッド１３ｆの進出待避方向が若干水平からずれることを許容するようになっている。
【００３３】
なお、本明細書において、固定支点とは、支点の位置が移動せず固定されていることを意味し、この固定支点に軸支されたリンク自体は固定支点に対して回転可能である。なお、固定支点は前述の背ボトム１１ａ等を支持するフレームに対して固定されており、フレーム全体が昇降してベッドの高さが変化する場合には、それと共に、昇降する。また、移動支点は、支点自体がリンクの回動により移動するものである。
【００３４】
なお、ベッド１は、上述の背ボトム１１ａ等を支持するフレームが、アクチュエータ（いずれも図示せず）により上下動するようになっており、これにより、ベッドの高さを調節することができるようになっている。
【００３５】
図３に示す背ボトム１１ａ、背湾曲部１１ｂ、腰ボトム１１ｃ、膝ボトム１１ｄ、膝湾曲部１１ｅ及び足ボトム１１ｆの下方には、背ボトム１１ａを上げるための背上げ装置１２と、膝ボトム１１ｄを上げるための膝上げ装置１３が設置されている。
【００３６】
アクチュエータ１２ｈ及び１３ｅは、モータを内蔵し、このモータの正逆回転により、ピストンロッド１２ｇ及び１３ｆを進出させ、又は待避移動させる。このアクチュエータ１２ｈ及び１３ｅは、図示しない制御ボックス内の制御装置により制御されている。操作ボックス１４のスイッチの押下により出力された信号は、この制御ボックス内の制御装置に入力され、更に、制御装置によって制御及び出力された信号によってピストンロッド１２ｇ並びに１３ｆが進出及び退避移動することによって、ベッドの背上げ及び背下げ動作並びに膝上げ及び膝下げ動作が行われる。
【００３７】
ボトム１１上のマットレス２はボトム１１の背ボトム１１ａ、腰ボトム１１ｂ、膝ボトム１１ｃ、及び足ボトム１１ｄの夫々に対して一定の位置に固定され、ボトム１１の夫々の移動と連動して屈曲可能に設けられている。また、腰ボトム１１ｃに対して固定されるマットレス２の長手方向に沿う側面には、背ボトム１１ａ、膝ボトム１１ｄ及び足ボトム１１ｆが水平の状態でマットレス２の上に横たわるベッド利用者の寝位置が決まったときにマットレス２の側面に対して腕を伸ばしてその手が触れる位置に標識部材３が埋設されている。
【００３８】
図８に示すように、マットレス２はマット部２０、標識部材３及び被覆材２１によって構成され、マット部２０は図８（ａ）並びに（ｂ）に示すように上層Ｔ、中間層Ｍ、及び下層Ｂが積層されて構成されている。また、図８（ａ）及び（ｂ）に示すようにマットレス２の長手方向に沿う側面には、３層に積層されたマット部２０において、標識部材３が埋設され、更にマット部２０及び標識部材３の全体がポリエステル又はポリウレタン等からなる被覆材２１によって覆われている。
【００３９】
マット部２０の上層Ｔは低反発ウレタンフォーム材等からなり、マットレス上に横たわるベッド利用者の肌に対する触感を維持しつつ、吸湿・保湿性、及び耐久性に優れた素材によって構成されている。また、中間層Ｍはベッド利用者の寝姿勢保持及び体圧分散をもたらす固さを有するウレタンフォーム又は硬綿系の素材によって構成され、下層Ｂは外部から寝台上への振動の伝達を防止するためにポリエステル繊維等の高弾力性の素材によって構成されている。
【００４０】
標識部材３はゴム等からなり、図８（ｂ）に示すように被覆材２１を被せられ、更に被覆材２１の上からシーツを被せられた状態においてもマット部２０との硬度の違いを十分に触感によって認識することができる硬度及び大きさで設けられている。
【００４１】
本実施形態においては、マット部２０と硬度の異なる部材がマット部２０の側面に埋設されることによって標識部材３が設けられているが、マットレス２が水平な状態においてマットレス上に横たわるベッド利用者がマットレス２の側面に対して腕を伸ばし、標識部材３の位置を触感によって正確に認識できる形態であればよく、図８（ｃ）乃至（ｅ）に示すようにマット部２０に対して切り欠きを設けたり、マット部２０に別部材を貼り付けたり、マット部２０の一部を加熱又は圧縮することによって１以上の突起部を設けたり、マット部２０の一部を薬品等によって変質させてマット部２０の表面に凹凸を設けることによって設けられてもよい。
【００４２】
次に、このように構成された電動ベッドの動作について説明する。まず、背上げ装置１２及び膝上げ装置１３の動作について説明する。図４の水平状態から、図５に示すように、アクチュエータ１２ｈを動作させて、ピストンロッド１２ｇを進出させると、固定支点Ｆ１、Ｆ２、Ｆ３は移動しないので、第４リンク１２ｆが時計方向に回動し、第３リンク１２ｅが背ボトム１１ａの支持部１２ａの突部１２ｃを時計方向に回転させようとする。支持部１２ａには、固定支点Ｆ１、Ｆ２に軸支された第１リンク１２ｂ及び第２リンク１２ｄが夫々移動支点Ｍ１及び移動支点Ｍ３で連結されているので、長寸の第１リンク１２ｂと短寸の第２リンク１２ｄとの共同作用により、背ボトム１１ａは２点Ｍ１、Ｍ３を回動中心として起き上がるように回動することができる。従って、アクチュエータ１２ｈの作動により、ピストンロッド１２ｇが前進（進出）移動すると、第３リンク１２ｅが支持部１２ａの突部１２ｃを押し、これにより、支持部１２ａ及び背ボトム１１ａが２点を回転中心として時計方向に回動する。背ボトム１１ａは図５に示すように立ち上がり、背ボトム１１ａと固定された腰ボトム１１ｃとの間は背湾曲部１１ｂ（図５に図示せず）により滑らかに湾曲する。
【００４３】
一方、アクチュエータ１２ｈのピストンロッド１２ｇを待避移動させると、第３リンク１２ｅが突部１２ｃを引張り、支持部１２ａ及び背ボトム１１ａが水平状態に戻る。これにより、図４に示すように、背ボトム１１ａと、背湾曲部１１ｂ及び腰ボトム１１ｃが水平状態に戻る。
【００４４】
膝上げ装置１３においては、図６に示すように、アクチュエータ１３ｅのピストンロッド１３ｆが進出した状態で、膝ボトム１１ｄ、膝湾曲部１１ｅ及び足ボトム１１ｆが水平状態にある。そして、図７に示すように、アクチュエータ１３ｅのピストンロッド１３ｆを退入させることにより、固定支点Ｆ４を中心として、膝ボトム１１ｄ及び支持部１３ａが反時計方向に回動する。これにより、膝ボトム１１ｄが立ち上がる。この場合に、膝ボトム１１ｄは支持部１３ａ及び支持部１３ｂを介して足ボトム１１ｆに連結されており、足ボトム１１ｆは固定支点Ｆ５に連結された第５リンク１３ｃに連結されている。よって、膝ボトム１１ｄが立ち上がると、支持部１３ｂが持ち上がり、後方部分を第５リンク１３ｃに連結された足ボトム１１ｆが移動支点Ｍ５、Ｍ７で回転可能に支持されながら、上方に移動する。このとき、膝ボトム１１ｄと足ボトム１１ｆとの間は、膝湾曲部１１ｅにより連結されており、この膝湾曲部１１ｅ下部は支持部１３ａ及び１３ｂにより支持されていて、膝湾曲部１１ｅは支持部１３ａ及び支持部１３ｂの上縁の包絡線に沿って、滑らかに湾曲している。
【００４５】
このような背上げ及び背下げ動作並びに膝上げ及び膝下げ動作は、相互に連動して同時に進行する。
【００４６】
ベッド上に横たわるベッド利用者はマットレス２が水平な状態において、マットレス２の長手方向に沿う側面に対して腕を伸ばし、この側面に設けられた標識部材３に触れることによって、自分のベッドに対する寝位置を触感によって認識し、更にこの標識部材３に合わせて自分のベッド上の寝位置を合わせることができる。
【００４７】
本実施形態のベッドによれば、ボトムの一定の位置にマットレスが固定され、更にマットレスの長手方向に沿う側面に、マットレス上に横たわるベッド利用者がベッドに対する自分の寝位置を触感によって認識することを可能とした標識部材が設けられているため、マットレス上のベッド利用者が横たわったままで自分の寝位置を正確に認識することが可能である。また、標識部材に触れることによってボトムに対して一定の位置に固定されたマットレス上における自分の寝位置を調整することが可能であるため、ベッドが背上げ及び膝上げ動作を行う間、ベッドに対する自分の寝位置が正確であり、ベッドの動作による圧迫又は摩擦力を皮膚又は身体内部組織に対して受ける危険性を軽減することができる。
【００４８】
また、ベッド利用者が触感によって自分の寝位置を正確に認識及び調整することが可能であるため、暗中又はベッド利用者が視覚的に不自由な環境下においても一人で使用することができる優れたベッドを得ることができる。
【００４９】
更に、本実施形態のベッドのマットレスに設けられた標識部材は、被覆材の上からシーツを被せられた状況においても位置を認識することが可能な硬度、形状及び大きさで設けられているため、シーツを交換することによってベッド上の環境を常に清潔に保つことが可能である。
【００５０】
更にまた、本実施形態のベッドに設けられた標識部材は、例えばベッド又はマットレスの内部に加振器若しくは摺動ローラを設けて横たわるベッド利用者に対するマッサージ効果を与える機能を備えたベッド等において設けられた場合においても、ベッド上に横たわるベッド利用者のベッドに対する相対的位置を正しい位置に調整することが可能であるため、ベッドが備える身体の特定部位に対して作用する機能を効果的に享受することができる。
【００５１】
図９は本発明の第２実施形態に係るマットレスにおける寝位置指示部材を示す断面図である。
【００５２】
図９に示すように、マットレス２はマット部２０、加振部４、標識部材３及び被覆材２１によって構成され、マット部２０は上層Ｔ、中間層Ｍ、及び下層Ｂが積層されて構成されている。また、マット部２０は２層からなりその境界部において一部積層方向に切り欠かれ、この切り欠かれた部分に加振部４が埋設されている。更に、マットレス２の長手方向に沿うマット部２０の側面には、マットレス２の上に横たわる利用者の寝位置が決まったときにマットレス２の側面に対して腕を伸ばしてその手が触れる位置に標識部材３が埋設され、マット部２０及び標識部材３はポリエステル又はポリウレタン等からなる被覆材２１によって覆われている。
【００５３】
マット部２０の上層Ｔは低反発ウレタンフォーム材等からなり、マットレス上に横たわる利用者の肌に対する触感を維持しつつ、吸湿・保湿性、及び耐久性に優れた素材によって構成されている。また、中間層Ｍは利用者の寝姿勢保持及び体圧分散をもたらす固さを有するウレタンフォーム又は硬綿系の素材によって構成され、下層Ｂは外部から寝台上への振動の伝達を防止するためにポリエステル繊維等の高弾力性の素材によって構成されている。
【００５４】
加振部４はベッド利用者の肩、腰又はふくらはぎ等の位置に合わせて前述のマット部の中間層Ｍの一部を切り欠いて設けられ、ポリエステル繊維又はナイロン繊維等の内部に加振器若しくは摺動ローラが埋設されている。
【００５５】
標識部材３はゴム等からなり、図９に示すように被覆材２１を被せられ、更に被覆材２１の上からシーツを被せられた状態においてもマット部２０との硬度の違いを十分に触感によって認識することができる硬度及び大きさで設けられている。
【００５６】
本実施形態においては、マット部２０と硬度の異なる部材がマット部２０の側面に埋設されることによって標識部材３が設けられているが、本発明の第１実施形態と同様に、マットレス２が水平な状態においてマットレス上に横たわる利用者がマットレス２の側面に腕を伸ばし、標識部材３の位置を触感によって正確に認識できる形態であればよく、マット部２０に対して切り欠きを設けたり、マット部２０に別部材を貼り付けたり、マット部２０の一部を加熱又は圧縮することによって１以上の突起部を設けたり、マット部２０の一部を薬品等によって変質させてマット部２０の表面に凹凸を設けることによって設けられてもよい。
【００５７】
本実施形態のマットレスによれば、マットレスの長手方向に沿う側面に利用者の寝位置を触感によって認識することを可能とした標識部材が設けられているため、マットレス上の利用者が横たわったままで自分の寝位置を正確に認識することが可能であり、また、標識部材に触れることによってマットレス上における自分の寝位置を調整することが可能であるため、マッサージ機能を有するマットレスにおいて加振器または摺動ローラの位置に正確に身体を合わせることができ、身体の特定部位に対するマッサージ機能を効果的に享受することが可能である。
【００５８】
また、本実施形態のマットレスによれば、利用者が触感によって自分の寝位置を正確に認識及び調整することが可能であるため、暗中又は利用者が視覚的に不自由な環境下においても優れたマッサージ効果を得ることが可能である。
【００５９】
更に、本実施形態のマットレスにおける標識部材は、被覆材の上からシーツを被せられた状況においても位置を認識することが可能な硬度、形状及び大きさで設けられているため、本発明の第１実施形態と同様に、シーツを交換することによってマットレス上の環境を常に清潔に保つことが可能である。
【００６０】
本実施形態においては、マットレスの内部に加振器又は摺動ローラ等を埋設することによって、マットレス上に横たわる利用者に対するマッサージ機能を有するマットレスを引用することによって本発明の効果を説明したが、横たわるベッド利用者のマットレスに対する相対的位置を特定する必要がある機能を有するものであれば、どのような形態のマットレスにおいても本発明を適用することが可能である。例えば、図１（ｂ）に示すように、マットレス２がマットレス上に横たわる利用者の背中に対応する背部２ａ、腰に対応する腰部２ｂ、膝に対応する膝部２ｃ、及び足に対応する足部２ｄによって構成され、図示しない空気圧縮機によって発生させられた空気を動力として、背部並びに膝部及び足部の起伏動作を行わせるギャッチマットレスにおいて、腰部２ｂの側面に標識部材３を設ければ、本発明の第１実施形態で説明した背上げ機能を有するベッドと同様に、マットレス上の利用者が横たわったままで自分の寝位置を正確に認識することが可能であり、また、標識部材に触れることによってマットレス上における自分の位置を調整することが可能であるため、マットレスが背上げ及び膝上げ動作を行う間、マットレスに対する利用者の寝位置が正確であり、マットレスの動作による圧迫又は摩擦力を皮膚又は身体内部組織に対して受ける危険性を軽減することができる。また、利用者が触感によって自分の寝位置を正確に認識及び調整することが可能であるため、暗中又は利用者が視覚的に不自由な環境下においても一人で使用することができる優れたベッドを得ることができ、更に、シーツを交換することによってマットレス上の環境を常に清潔に保つことが可能である。また、寝床内温度調節用のヒーター又はクーラーを有するベッド及びマットレス、褥瘡予防又は寝心地の向上等を目的としてベッド利用者の身体位置によって形状又は硬度が異なるマットレス、治療のために電気パルス又は振動等を発生する機能を有するベッド及びマットレス等、いずれの場合においても本発明を適用することが可能である。
【００６１】
図１０（ａ）乃至（ｆ）は、本発明の第３実施形態を示す図であり、図１０（ａ）はマットレスを示す斜視図、図１０（ｂ）はその標識を示す横断面図、図１０（ｃ）乃至（ｆ）は、標識の変形例を示す横断面図である。図１０（ａ）に示すように、本実施形態のマットレス４０は、ベッド利用者が横臥するマットレス本体４１と、このマットレス本体４１を被覆する被覆材４２により構成されている。そして、被覆材４２には、マットレス本体４１の長手方向に沿う側面に標識４３が設けられている。この標識４３は、ベッド利用者が、その寝位置を調整するために、現状でベッド利用者がマットレス上のどの位置にいるかを把握するために利用するものであり、ベッド利用者がその手で触れて、触覚により位置を把握するものである。図１０（ａ）、（ｂ）に示す標識４３は、マットレス４０の被覆材４２の側面の長手方向の一部に、マットレス本体４１の高さ方向の全域に形成されている。この標識４３は、被覆材４２の一部に、被覆材４２の大部分とは触感が異なる材質のシートを使用したものである。
【００６２】
このように、マットレス本体４１を覆う被覆材４２に標識４３を設けても、前述の第１及び第２実施形態と同様の作用効果を奏する。
【００６３】
被覆材４２に設ける標識としては、図１０（ｃ）に示すように、被覆材４２におけるマットレス長手方向及び高さ方向の一部に、被覆材とは異なる別の部材を設けることにより、標識４４としてもよい。このような別部材からなる標識４４は、接着剤又は縫製等により、被覆材４２に取り付けられている。
【００６４】
図１０（ｄ）に示す標識４５は、被覆材４２の一部を切り取った形成した切欠である。この切欠からなる標識４５も、同様に、ベッド利用者が手で触れて触感により認識することができる。
【００６５】
図１０（ｅ）に示す標識４６は、被覆材４２の一部を加熱又は圧縮することにより、１又は複数の突起を設けたものである。この突起からなる標識４５も、同様に触感により認識することができる。
【００６６】
図１０（ｆ）に示す標識４７は、被覆材４２の一部を薬品により変質させてその表面に微細な凹凸を形成したものである。この凹凸からなる標識４７も、同様に触感により認識することができる。
【００６７】
これらの標識４３乃至４７は、いずれも、マットレス本体４１の被覆材４２に触感が他の部分と異なる部分を形成するか、又は触感が異なる別部材を取り付けて、ベッド利用者が手で触れてその位置を認識できるようにしたものである。よって、この第３実施形態のように、被覆材に標識を設けた場合も、マットレスに標識を設けた場合と同様の作用効果を奏する。
【００６８】
図１１（ａ）は本発明の第４実施形態を示す斜視図、図１１（ｂ）はその横断面図である。本実施形態のマットレス本体は、第１層４１ａ、第２層４１ｂ、第３層４１ｃ、第４層４１ｄの積層体からなる。これらの積層体からなるマットレス本体を、まとめて、被覆材４２が包み込むように被覆している。マットレス本体第１層４１ａには、褥瘡対策用に部材５０が埋め込まれており、この褥瘡対策部材５０の近傍に別部材からなる標識４４が取り付けられている。なお、この褥瘡対策部材５０は、例えば、ウオーターセルをウレタン材で挟持した構造のクッション部材であり、患者の褥瘡部に対する反発力が小さく、褥瘡部を圧迫することがないようになっている。
【００６９】
褥瘡を発症しているベッド利用者は、その褥瘡発症部位が、丁度、褥瘡対策部材５０の位置にくるように、標識５０を触感で認識する。即ち、標識５０を触感で認識することにより、その標識５０の位置から、褥瘡対策部材５０の位置を間接的に認識する。これにより、ベッド利用者は、その褥瘡発症部位を確実に褥瘡対策部材５０の位置にあわせることができる。
【図面の簡単な説明】
【００７０】
【図１】（ａ）は本発明の第１実施形態に係るベッドを示す斜視図、（ｂ）はギャッチマットレスを示す斜視図である。
【図２】本発明の第１実施形態に係る電動ベッドを示す斜視図である。
【図３】本発明の第１実施形態に係る電動ベッドの背ボトム、膝ボトム及び足ボトムと、それらの間の湾曲部とを示す正面図である。
【図４】背ボトムが水平の場合の背上げ装置を示す正面図である。
【図５】背ボトムを上げた場合の背上げ装置を示す正面図である。
【図６】膝ボトムが水平の場合の膝上げ装置を示す正面図である。
【図７】膝ボトムを上げた場合の膝上げ装置を示す正面図である。
【図８】本発明の実施形態に係るマットレスを示す斜視図及び断面図である。
【図９】本発明の第２実施形態に係るマットレスを示す断面図である。
【図１０】（ａ）は本発明の第３実施形態に係るマットレスを示す斜視図、（ｂ）はその標識を示す横断面図、（ｃ）乃至（ｆ）はその標識の変形例を示す横断面図である。
【図１１】（ａ）は本発明の第４実施形態に係るマットレスを示す斜視図、（ｂ）はその標識を示す横断面図である。
【符号の説明】
【００７１】
１：ベッド、１０：ベッドフレーム、１１：ボトム、１１ａ：背ボトム、１１ｂ：背湾曲部、１１ｃ：腰ボトム、１１ｄ：膝ボトム、１１ｅ：膝湾曲部、１１ｆ：足ボトム、１２：背上げ装置、１２ｇ：ピストンロッド、１３：膝上げ装置、１３ｆ：ピストンロッド、１４：操作ボックス、２：マットレス、２ａ：背部、２ｂ：腰部、２ｃ：膝部、２ｄ：足部、２０:マット、２１:被覆材、３：標識部材、４:加振部、Ｔ：上層、Ｍ：中間層、Ｂ：下層、４０：マットレス、４１：マットレス本体、４１ａ〜４１ｄ：層、４２：被覆材、４３〜４７：標識、５０：褥瘡対策部材
【図１】
2010029627.tif 000003
【図２】
2010029627.tif 000004
【図３】
2010029627.tif 000005
【図４】
2010029627.tif 000006
【図５】
2010029627.tif 000007
【図６】
2010029627.tif 000008
【図７】
2010029627.tif 000009
【図８】
2010029627.tif 000010
【図９】
2010029627.tif 000011
【図１０】
2010029627.tif 000012
【図１１】
2010029627.tif 000013